(57)【要約】【課題】  従来のＷｅｂ検索機能を内蔵するプリンタにおいては、操作パネル上からの入力操作が煩雑であり、かつ、操作パネルの操作に慣れていない者にはわかりづらいという欠点があり、本発明は、煩雑な操作パネルの操作を省き、直感的でわかりやすい入力検索条件の入力方式を提供することを課題とする。【解決手段】  本発明は、Ｗｅｂ検索機能を内蔵するプリンタにおいて、検索条件を記述した紙をスキャナで読取ることによって検索条件を入力し、検索条件記入用の用紙をプリンタで印刷することを特徴とする。【選択図】図１
2005228129.tif 000002
【特許請求の範囲】
【請求項１】
検索条件を記述した紙をスキャナで読取ることによって、検索条件を入力することを特徴とするＷｅｂ検索機能を内蔵するプリンタにおける検索条件入力方式。
【請求項２】
検索条件記入用の用紙をプリンタで印刷することを特徴とする請求項１記載のＷｅｂ検索機能を内蔵するプリンタにおける検索条件入力方式。
【発明の詳細な説明】
【技術分野】
【０００１】
本発明は、Ｗｅｂ検索機能を内蔵するプリンタにおける検索条件入力方式に関する。
【背景技術】
【０００２】
図４を参照して、従来のＷｅｂ検索機能を内蔵するプリンタにおける検索条件入力方式について説明する。
【０００３】
Ｗｅｂ検索機能を内蔵したプリンタ４０２がインターネット４０１に接続されている。
【０００４】
操作パネル４０９よりキー４１１を使用して検索条件を入力する。Ｗｅｂ検索エンジン４０３は入力された検索条件をもとに検索を行ない、検索結果を記憶装置４０４に記録する。出力判断部４０７では記憶装置４０４に記録されている検索結果の取捨選択を行なう。プリンタドライバ４０６では、印刷すべき検索結果を印刷制御用命令に変換する。印刷制御部４０５では、変換された印刷制御用命令をもとに印刷を行ない検索結果を出力する。
【０００５】
【特許文献１】特開２００２−１５７０９６号公報
【発明の開示】
【発明が解決しようとする課題】
【０００６】
従来のＷｅｂ検索機能を内蔵するプリンタにおける検索条件入力方式では以下の課題がある。
（１）設定項目が多数存在する場合には、操作パネル上からの入力操作が煩雑となる
（２）操作パネル上のキーを操作して文字列や桁数の多い数字を入力することは煩雑である。
（３）操作パネルの操作に慣れていない者にはわかりづらい。
【０００７】
本発明の目的は、上記の問題を解決するＷｅｂ検索機能を内蔵するプリンタにおける検索条件入力方式を提供することにある。
【課題を解決するための手段】
【０００８】
本発明は、検索条件を予め記述した紙をスキャナで読取ることによって、Ｗｅｂ検索に必要な検索条件を入力することを特徴とする。
【発明の効果】
【０００９】
以上のように、本発明によれば、Ｗｅｂ検索機能を内蔵するプリンタにおける検索条件入力おいて、煩雑な操作パネルの操作が不要となり、かつ、直感的でわかりやすい入力方式を提供できる。
【発明を実施するための最良の形態】
【００１０】
本発明の一実施例を、図１〜図３を参照して説明する。
【００１１】
図１は、Ｗｅｂ検索機能を内蔵するプリンタにおける検索条件入力方式の一例となるプリンタシステムの構成を示す。
【００１２】
図１において、１０１はインターネット、１０２はＷｅｂ検索機能を内蔵したプリンタ、１０３はＷｅｂ検索エンジン、１０４は入力画像解析部、１０５はスキャナ、１０６は印刷制御部、１０７は印刷データ生成部、１０８は記憶装置、１０９は操作部、１１０は操作パネル、１１１はキー、１１２はＬＣＤ、１１３は検索条件記入用の用紙、１１４は用紙１１３に検索条件を記入した用紙、１１５は条件が一致したページのリスト、１１６は条件が一致したページのリスト１１５に手書きでマークしたリスト、１１７はマークされたページを印刷したリストである。
【００１３】
Ｗｅｂ検索機能を内蔵したプリンタ１０２は、インターネット１０１に接続されている。前記プリンタ１０２の内部には、Ｗｅｂ検索エンジン１０３、入力画像解析部１０４、スキャナ１０５、印刷制御部１０６、印刷データ生成部１０７、記憶装置１０８、操作部１０９が存在する。
【００１４】
操作部１０９の内部には操作パネル１１０が存在する。操作パネル１１０は、キー１１０が、ＬＣＤ１１２より構成される。検索条件記入用の用紙１１３は、Ｗｅｂの検索条件を記入するための用紙であり、あらかじめ決められたフォーマットをプリンタより印刷させたものである。
【００１５】
検索条件を記入した用紙１１４は、検索条件記入用の用紙１１３に検索条件を手書きで記入したものである。条件が一致したページのリスト１１５は、検索条件にもとづいて検索した結果を印刷したものである。
【００１６】
１１６は条件が一致したページのリスト１１５の中で、更にページの詳細を印刷させたいものを手書きでマークしたものである。
【００１７】
検索条件入力は以下の手順で行なう。
（１）検索条件記入用の用紙を準備する。
（２）検索条件を手書きで記入。
（３）検索条件をスキャナで読込ませる。
（４）条件が一致したページのリストが印刷される。
（５）（４）のリストの中で更にページの詳細を印刷するものを手書きでマークする。
（６）（５）をスキャナで読込ませる。
（７）ページの詳細が印刷される。
【００１８】
以下に、上記手順について説明する。
【００１９】
操作パネル１１０を操作して、検索条件記入用の用紙１１３を印刷させる。検索条件記入用の用紙１１３に検索条件を手書きで記入する。検索条件を記入した用紙１１４を、スキャナ１０５で読込ませる。
【００２０】
スキャナ１０５で読込んだ画像データを、入力画像解析部１０４に転送する。入力画像解析部１０４では画像データの処理を行ない、検索条件に関するデータをＷｅｂ検索エンジン１０３に転送する。
【００２１】
Ｗｅｂ検索エンジン１０３において検索条件にもとづいて検索を行ない、検索結果を記憶装置１０８に記録する。
【００２２】
印刷データ生成部１０７では、記憶装置１０８に記録されている検索結果をもとに条件に一致したページのリストを作成し、印刷制御命令に変換して印刷制御部１０６に転送する。
【００２３】
印刷制御部１０６では、印刷制御命令にもとづいて印刷を行ない条件が一致したページのリスト１１５を印刷する。条件が一致したページのリスト１１５の中で、更にページの詳細を印刷させたいものを手書きでマークする。
【００２４】
条件が一致したページのリストに手書きでマークしたリスト１１６をスキャナで読込ませる。
【００２５】
スキャナ１０５で読込んだ画像データを、入力画像解析部１０４に転送する。
【００２６】
入力画像解析部１０４では画像データの処理を行ない、手書きマークの情報を印刷データ生成部１０７に転送する。
【００２７】
印刷データ生成部１０７では、手書きマークの情報をもとに記憶装置１０８からページを取得し、印刷制御命令に変換して印刷制御部１０６に転送する。
【００２８】
印刷制御部１０６では印刷を行ない、マークされたページを印刷したリスト１１７を出力する。
【００２９】
次に、図２によりＷｅｂの検索条件を記入するため用紙とその記入例について説明する。
【００３０】
２０１はＷｅｂの検索条件を記入するため用紙の印刷例、２０２はＷｅｂの検索条件を記入するため用紙２０１に、手書きで検索条件を記入した例である。
【００３１】
次に、図３により条件が一致したページのリストとそのマーク例について説明する。
【００３２】
３０１は、条件が一致したページのリストの印刷例、３０２は条件が一致したページのリストの中で、更にページの詳細を印刷させたいものに手書きでマークした例である。
【００３３】
本方式により煩雑でわかりづらいパネル操作を省いて、直感的でわかりやすい検索条件の入力が可能となる。
【図面の簡単な説明】
【００３４】
【図１】本発明の一実施例におけるプリンタシステムの構成図。
【図２】本発明の一実施例におけるＷｅｂの検索条件を記入するため用紙とその記入例を示す図。
【図３】本発明の一実施例おける条件が一致したページのリストとそのマーク例を示す図。
【図４】従来の方式の説明図。
【符号の説明】
【００３５】
１０１…インターネット、１０２…Ｗｅｂ検索機能を内蔵したプリンタ、１０３…Ｗｅｂ検索エンジン、１０４…入力画像解析部、１０５…スキャナ、１０６…印刷制御部、１０７…印刷データ生成部、１０８…記憶装置、１０９…操作部、１１０…操作パネル、１１１…キー、１１２…ＬＣＤ、１１３…検索条件記入用の用紙、１１４…検索条件記入用の用紙に検索条件を記入した用紙、１１５…条件が一致したページのリスト、１１６…条件が一致したページのリストに手書きでマークしたリスト、１１７…マークされたページを印刷したリスト。
【図１】
2005228129.tif 000003
【図２】
2005228129.tif 000004
【図３】
2005228129.tif 000005
【図４】
2005228129.tif 000006